(57)【要約】【課題】健康に有効と言われているＧｅを含有する装身具において、機械加工性を改善して、成形加工が容易な装身具を実現する。【解決手段】Ａｕを７５重量％以上、Ｇｅを１．０　〜２．５　重量％含有し、残りが少なくともＰｄ（パラジウム）とＣｕであることを特徴とする装身具である。このように、Ａｕを７５重量％以上、Ｇｅを１．０　〜２．５　重量％含有し、残りが少なくともＰｄとＣｕである装身具は、ＡｕとＰｄを含有しているため、白金色を呈した鎖となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖などを自動機で編むことが可能となる。【選択図】　　　　　図１【実用新案登録請求の範囲】
【請求項１】
Ａｕを７５重量％以上、Ｇｅを１．０　〜２．５　重量％含有し、残りが少なくともＰｄとＣｕであることを特徴とする装身具。
【請求項２】
Ａｕを７５重量％以上、Ｇｅを１．０　〜２．５　重量％含有し、残りが少なくともＡｇとＣｕであることを特徴とする装身具。
【請求項３】
Ｐｔを８５重量％以上、Ｇｅを１．０　〜２．５　重量％含有し、残りが少なくともＰｄであることを特徴とする装身具。
【考案の詳細な説明】
【０００１】
【産業上の利用分野】
本考案は、ネックレスやブレスレットなどのような装身用の鎖、又は指輪などの装身具に関し、特に機械加工によって製造される装身具に関する。
【０００２】
【従来の技術】
Ｇｅ（ゲルマニウム）を人体に接触させると、その遠赤外線放射の作用により、人体に温熱効果を及ぼし、肩凝りの緩和など、鎮痛や消炎などの治療ないし健康増進、健康維持の効果を発揮すると言われているため、常時人体に装着する装身具などにＧｅを含有させることが提案されている。
【０００３】例えば、ネックレスなどの鎖において、金（１８Ｋ）や銀にＧｅを５〜１０重量％程度混ぜることが知られている。しかしながら、いずれもハンドメイド（手作り製品）が主流であった。その理由は、Ｇｅ素材を金や銀に混ぜると材料の加工性が著しく低下して、材料が脆くなったり、剥離現象が生じて、装身具の製造が困難であった。
【０００４】また、例えば特開２００２−１０５５５８号公報には、ネックレスやブレスレット、指輪、腕時計などの装身具を製造する際の合金として、Ａｕが７５重量％以上、Ｇｅが３〜５重量％、残部がＡｇおよびＣｕからなる組成も提案されている。
【０００５】
【考案が解決しようとする課題】
しかしながら、本考案の出願人が種々試験してみた結果、このような組成も、手作りのリングや手編みの鎖などの場合は、加工可能としても、機械編みには適しないことが確認された。
【０００６】すなわち、材質が脆かったり、剥離したりする現象が表れ、その結果、ネックレスや時計バンドなどの鎖類を機械で自動的に編むのは困難であり、簡単に破断して機械の内部に残ってしまったり、ロウ付けに支障を来したり、円滑な加工が不可能であった。このように機械編みが困難なため、加工費の高い手編みや手作りに頼らざるを得ないのが現状である。
【０００７】本考案の技術的課題は、このような問題に着目し、健康に有効と言われているＧｅを含有する装身具において、機械加工性を改善して、成形加工が容易でさまざまな形状に自動機で成形可能な装身具を実現することにある。
【０００８】
【課題を解決するための手段】
本考案の技術的課題は次のような手段によって解決される。請求項１は、Ａｕ（金）を７５重量％以上、Ｇｅを１．０　〜２．５　重量％含有し、残りが少なくともＰｄ（パラジウム）とＣｕ（銅）であることを特徴とする装身具である。
【０００９】このように、Ａｕを７５重量％以上、Ｇｅを１．０　〜２．５　重量％含有し、残りが少なくともＰｄとＣｕである装身具は、ＡｕとＰｄを含有しているため、白金色を呈した装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。美しい白金色が得られるので、従来のようなメッキ処理をする必要もない。
【００１０】請求項２は、Ａｕを７５重量％以上、Ｇｅを１．０　〜２．５　重量％含有し、残りが少なくともＡｇ（銀）とＣｕであることを特徴とする装身具である。
【００１１】このように、Ａｕを７５重量％以上、Ｇｅを１．０　〜２．５　重量％含有し、残りが少なくともＡｇとＣｕである装身具は、Ａｕの含有量が多いため、１８金（Ｋ１８）のような金色を呈した装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。
【００１２】請求項３は、Ｐｔ（プラチナ）を８５重量％以上、Ｇｅを１．０　〜２．５　重量％含有し、残りが少なくともＰｄであることを特徴とする装身具である。
【００１３】このように、Ｐｔを８５重量％以上、Ｇｅを１．０　〜２．５　重量％含有し、残りが少なくともＰｄである装身具は、Ｐｔの含有量が多いため、白色がかった装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。
【００１４】
【考案の実施の形態】
次に本考案による装身具が実際上どのように具体化されるか実施形態を説明する。図１は本考案によるＧｅ入りの装身具としてネックレスを例示したので、要部のみを示してある。１は鎖本体であり、両端のみを図示してある。鎖本体１の一端１ａには、連結コマ２と小リング３を介して主リング４の連結耳４ｅが連結されている。
【００１５】鎖本体１の他端１ｂには、小リング５・６を介してタグ片７の基端孔７ａが連結されている。そして、周知の手法で、タグ片７の先端孔７ｂに、前記の鎖一端の主リング４の隙間を開けて挿通することによって、図示のように、鎖本体１の両端同士を互いに連結可能となる。
【００１６】このような装身用鎖において、鎖本体１が前記のような組成で構成されている。次に、鎖本体１の組成につき、三つの実施形態を挙げる。第一実施形態は、ホワイト・ゴールド合金（ＷＧ）であり、ＡｕとＰｄとＣｕとＧｅとからなっている。これら４種類の金属のほかに、多少の不純物や添加物を含んでいる場合もありうる。
【００１７】このように、主としてこれら４種類の金属からなる場合、Ａｕ約７５重量％、Ｐｄ約１１．７５　重量％、Ｃｕ約１１．７５　重量％、Ｇｅ約１．５　重量％が最も効果的な配合割合であった。すなわち、装身用の鎖を機械編みするのに全く支障を来さないし、ロウ付けを機械式に自動的に行なうのにも支障はなかった。Ａｕの含有量が約７５重量％でＰｄの含有量も約１１．７５　重量％であるため、美しい白金色を呈する。従って、ホワイト・ゴールドと呼ぶことができる。
【００１８】また、含有量の最も多いＡｕが７５重量％以上であれば、加工性のほか、色彩、光沢なども特に問題は生じない。なお、ＰｄやＣｕも前記含有量の±５重量％程度の範囲内であれば、特に支障は生じない。
【００１９】次に、第二実施形態は、Ｋ１８の鎖であり、ＡｕとＡｇとＣｕとＧｅとからなっている。この場合も、多少の不純物や添加物を含んでいる場合もありうる。
【００２０】このように、主としてこれら４種類の金属からなる場合、Ａｕ約７５重量％、Ａｇ約１２．００　重量％、Ｃｕ約１１．５重量％、Ｇｅ約１．５　重量％が最も効果的な配合割合であった。すなわち、装身用の鎖を機械編みするのに全く支障を来さないし、ロウ付けを機械式に自動的に行なうのにも支障はなかった。Ａｕの含有量が７５重量％、Ａｇの含有量が１２重量％、Ｃｕの含有量が１１．５重量％であるため、金色を呈する。すなわち、１８金の装身用鎖となる。
【００２１】また、最も含有量の多いＡｕが７５重量％以上であれば、加工性のほか、色彩、光沢なども特に問題は生じない。なお、ＡｇやＣｕも前記含有量の±５重量％程度の範囲内であれば、特に支障は生じない。
【００２２】第三実施形態はプラチナ鎖で、ＰｔとＰｄとＧｅとからなっており、この場合も多少の不純物や添加物を含んでいる場合もありうる。
【００２３】このように、主としてこれら３種類の金属からなる場合、Ｐｔ約８５重量％、Ｐｄ約１３．５重量％、Ｇｅ約１．５　重量％が最も効果的な配合割合であった。すなわち、装身用の鎖を機械編みするのに全く支障を来さないし、ロウ付けを機械式に自動的に行なうのにも支障はなかった。Ｐｔの含有量が約８５重量％であるため、白色を呈するプラチナ合金となる。
【００２４】また、最も含有量の多いＰｔが８５重量％以上であれば、加工性のほか、色彩、光沢なども特に問題は生じない。Ｐｄも前記含有量の±５重量％程度の範囲であれば、特に支障は生じない。
【００２５】以上の各実施形態において、Ｇｅの含有量は、１．５　重量％程度が最も効果的であるが、約１〜２．５　重量％程度の範囲であれば、特に問題はなく、実用に適している。Ｇｅの含量が約１重量％より少ないと、サーモグラフィーによる測定結果も芳しくなく、Ｇｅによる血行促進などの健康維持ないし健康増進の効果が弱くなる。逆に、約２．５　重量％より多いと、遠赤外線効果は増加するものの、機械的な加工性が徐々に悪くなり、機械による自動成形や自動ロウ付けに支障が出てくる恐れのあることが、実験の結果認められた。
【００２６】図は鎖の一例であって、鎖本体１の形状は様々である。また、本考案は、鎖本体１のみに限らず、連結コマ２や小リング３、主リング４、連結耳４ｅ、小リング５・６、タグ片７などの製造にも適用できる。さらに、本考案は、ネックレスやブレスレット、時計バンドなどの鎖類のほか、指輪などにも適用でき、身体に着ける装身具類のすべての製造に適用できる。
【００２７】
【考案の効果】
請求項１のように、Ａｕを７５重量％以上、Ｇｅを１．０　〜２．５　重量％含有し、残りが少なくともＰｄとＣｕである装身具は、ＡｕとＰｄを含有しているため、白金色を呈した装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。美しい白金色が得られるので、従来のようなメッキ処理をする必要もない。
【００２８】請求項２のように、Ａｕを７５重量％以上、Ｇｅを１．０　〜２．５　重量％含有し、残りが少なくともＡｇとＣｕである装身具は、Ａｕの含有量が多いため、１８金のような金色を呈した装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。
【００２９】請求項３のように、Ｐｔを８５重量％以上、Ｇｅを１．０　〜２．５　重量％含有し、残りが少なくともＰｄである装身具は、Ｐｔの含有量が多いため、白色がかった装身具となるが、Ｇｅを１．０　〜２．５　重量％含有しているため、Ｇｅ特有の遠赤外線放射などにより人体の健康維持ないし健康増進の効果が得られる。しかも、Ｇｅの含有量が１．０　〜２．５　重量％であるため、機械的な加工性が極めて優れ、鎖を自動機で編むことも可能である。
【図面の簡単な説明】
【図１】本考案によるＧｅ入りの装身用鎖の要部を示す斜視図である。
【符号の説明】
１　鎖本体
２　連結コマ
３　小リング
４　主リング
４ｅ　連結耳
５・６　小リング
７　タグ片
７ａ　基端孔
７ｂ　先端孔
【図１】
0003097524.tif 000002
【手続補正書】
【提出日】平成15年7月8日(2003.7.8)
【手続補正１】
【補正対象書類名】明細書
【補正対象項目名】全文
【補正方法】変更
【補正の内容】
【考案の詳細な説明】
【実用新案登録請求の範囲】
【請求項１】Ａｕを７５重量％以上、Ｇｅを１．０〜２．５重量％含有し、残りが少なくともＰｄとＣｕから成る材料で鎖状に成形してなることを特徴とするネックレス又はブレスレット。
【請求項２】Ａｕを７５重量％以上、Ｇｅを１．０〜２．５重量％含有し、残りが少なくともＡｇとＣｕから成る材料で鎖状に成形してなることを特徴とするネックレス又はブレスレット。
【請求項３】Ｐｔを８５重量％以上、Ｇｅを１．０〜２．５重量％含有し、残りが少なくともＰｄから成る材料で鎖状に成形してなることを特徴とするネックレス又はブレスレット。
【考案の詳細な説明】
【０００１】
【産業上の利用分野】
本考案は、ネックレスやブレスレットなどのような装身用の鎖、又は指輪などの装身具に関し、特に機械加工によって製造される装身具に関する。
【０００２】
【従来の技術】
Ｇｅ（ゲルマニウム）を人体に接触させると、その遠赤外線放射の作用により、人体に温熱効果を及ぼし、肩凝りの緩和など、鎮痛や消炎などの治療ないし健康増進、健康維持の効果を発揮すると言われているため、常時人体に装着する装身具などにＧｅを含有させることが提案されている。
【０００３】例えば、ネックレスなどの鎖において、金（１８Ｋ）や銀にＧｅを５〜１０重量％程度混ぜることが知られている。しかしながら、いずれもハンドメイド（手作り製品）が主流であった。その理由は、Ｇｅ素材を金や銀に混ぜると材料の加工性が著しく低下して、材料が脆くなったり、剥離現象が生じて、装身具の製造が困難であった。
【０００４】また、例えば特開２００２−１０５５５８号公報には、ネックレスやブレスレット、指輪、腕時計などの装身具を製造する際の合金として、Ａｕが７５重量％以上、Ｇｅが３〜５重量％、残部がＡｇおよびＣｕからなる組成も提案されている。
【０００５】
【考案が解決しようとする課題】
しかしながら、本考案の出願人が種々試験してみた結果、このような組成も、手作りのリングや手編みの鎖などの場合は、加工可能としても、機械編みには適しないことが確認された。
【０００６】すなわち、材質が脆かったり、剥離したりする現象が表れ、その結果、ネックレスや時計バンドなどの鎖類を機械で自動的に編むのは困難であり、簡単に破断して機械の内部に残ってしまったり、ロウ付けに支障を来したり、円滑な加工が不可能であった。このように機械編みが困難なため、加工費の高い手編みや手作りに頼らざるを得ないのが現状である。
【０００７】本考案の技術的課題は、このような問題に着目し、健康に有効と言われているＧｅを含有する装身具において、機械加工性を改善して、成形加工が容易でさまざまな形状に自動機で成形可能な装身具を実現することにある。
【０００８】
【課題を解決するための手段】
本考案の技術的課題は次のような手段によって解決される。請求項１は、Ａｕ（金）を７５重量％以上、Ｇｅを１．０〜２．５重量％含有し、残りが少なくともＰｄ（パラジウム）とＣｕ（銅）から成る材料で鎖状に成形してなることを特徴とするネックレス又はブレスレットである。
【０００９】このように、Ａｕを７５重量％以上、Ｇｅを１．０〜２．５重量％含有し、残りが少なくともＰｄとＣｕであるネックレス又はブレスレットは、ＡｕとＰｄを含有しているため、白金色を呈したネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。美しい白金色が得られるので、従来のようなメッキ処理をする必要もない。
【００１０】請求項２は、Ａｕを７５重量％以上、Ｇｅを１．０〜２．５重量％含有し、残りが少なくともＡｇ（銀）とＣｕから成る材料で鎖状に成形してなることを特徴とするネックレス又はブレスレットである。
【００１１】このように、Ａｕを７５重量％以上、Ｇｅを１．０〜２．５重量％含有し、残りが少なくともＡｇとＣｕであるネックレス又はブレスレットは、Ａｕの含有量が多いため、１８金（Ｋ１８）のような金色を呈したネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。
【００１２】請求項３は、Ｐｔ（プラチナ）を８５重量％以上、Ｇｅを１．０〜２．５重量％含有し、残りが少なくともＰｄから成る材料で鎖状に成形してなることを特徴とするネックレス又はブレスレットである。
【００１３】このように、Ｐｔを８５重量％以上、Ｇｅを１．０〜２．５重量％含有し、残りが少なくともＰｄであるネックレス又はブレスレットは、Ｐｔの含有量が多いため、白色がかったネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。
【００１４】
【考案の実施の形態】
次に本考案による装身具が実際上どのように具体化されるか実施形態を説明する。図１は本考案によるＧｅ入りの装身具としてネックレスを例示したので、要部のみを示してある。１は鎖本体であり、両端のみを図示してある。鎖本体１の一端１ａには、連結コマ２と小リング３を介して主リング４の連結耳４ｅが連結されている。
【００１５】鎖本体１の他端１ｂには、小リング５・６を介してタグ片７の基端孔７ａが連結されている。そして、周知の手法で、タグ片７の先端孔７ｂに、前記の鎖一端の主リング４の隙間を開けて挿通することによって、図示のように、鎖本体１の両端同士を互いに連結可能となる。
【００１６】このような装身用鎖において、鎖本体１が前記のような組成で構成されている。次に、鎖本体１の組成につき、三つの実施形態を挙げる。第一実施形態は、ホワイト・ゴールド合金（ＷＧ）であり、ＡｕとＰｄとＣｕとＧｅとからなっている。これら４種類の金属のほかに、多少の不純物や添加物を含んでいる場合もありうる。
【００１７】このように、主としてこれら４種類の金属からなる場合、Ａｕ約７５重量％、Ｐｄ約１１．７５重量％、Ｃｕ約１１．７５重量％、Ｇｅ約１．５重量％が最も効果的な配合割合であった。すなわち、装身用の鎖を機械編みするのに全く支障を来さないし、ロウ付けを機械式に自動的に行なうのにも支障はなかった。Ａｕの含有量が約７５重量％でＰｄの含有量も約１１．７５重量％であるため、美しい白金色を呈する。従って、ホワイト・ゴールドと呼ぶことができる。
【００１８】また、含有量の最も多いＡｕが７５重量％以上であれば、加工性のほか、色彩、光沢なども特に問題は生じない。なお、ＰｄやＣｕも前記含有量の±５重量％程度の範囲内であれば、特に支障は生じない。
【００１９】次に、第二実施形態は、Ｋ１８の鎖であり、ＡｕとＡｇとＣｕとＧｅとからなっている。この場合も、多少の不純物や添加物を含んでいる場合もありうる。
【００２０】このように、主としてこれら４種類の金属からなる場合、Ａｕ約７５重量％、Ａｇ約１２．００重量％、Ｃｕ約１１．５重量％、Ｇｅ約１．５重量％が最も効果的な配合割合であった。すなわち、装身用の鎖を機械編みするのに全く支障を来さないし、ロウ付けを機械式に自動的に行なうのにも支障はなかった。Ａｕの含有量が７５重量％、Ａｇの含有量が１２重量％、Ｃｕの含有量が１１．５重量％であるため、金色を呈する。すなわち、１８金の装身用鎖となる。
【００２１】また、最も含有量の多いＡｕが７５重量％以上であれば、加工性のほか、色彩、光沢なども特に問題は生じない。なお、ＡｇやＣｕも前記含有量の±５重量％程度の範囲内であれば、特に支障は生じない。
【００２２】第三実施形態はプラチナ鎖で、ＰｔとＰｄとＧｅとからなっており、この場合も多少の不純物や添加物を含んでいる場合もありうる。
【００２３】このように、主としてこれら３種類の金属からなる場合、Ｐｔ約８５重量％、Ｐｄ約１３．５重量％、Ｇｅ約１．５重量％が最も効果的な配合割合であった。すなわち、装身用の鎖を機械編みするのに全く支障を来さないし、ロウ付けを機械式に自動的に行なうのにも支障はなかった。Ｐｔの含有量が約８５重量％であるため、白色を呈するプラチナ合金となる。
【００２４】また、最も含有量の多いＰｔが８５重量％以上であれば、加工性のほか、色彩、光沢なども特に問題は生じない。Ｐｄも前記含有量の±５重量％程度の範囲であれば、特に支障は生じない。
【００２５】以上の各実施形態において、Ｇｅの含有量は、１．５重量％程度が最も効果的であるが、約１〜２．５重量％程度の範囲であれば、特に問題はなく、実用に適している。Ｇｅの含量が約１重量％より少ないと、サーモグラフィーによる測定結果も芳しくなく、Ｇｅによる血行促進などの健康維持ないし健康増進の効果が弱くなる。逆に、約２．５重量％より多いと、遠赤外線効果は増加するものの、機械的な加工性が徐々に悪くなり、機械による自動成形や自動ロウ付けに支障が出てくる恐れのあることが、実験の結果認められた。
【００２６】図は鎖の一例であって、鎖本体１の形状は様々である。また、本考案は、鎖本体１のみに限らず、連結コマ２や小リング３、主リング４、連結耳４ｅ、小リング５・６、タグ片７などの製造にも適用できる。さらに、本考案は、ネックレスやブレスレット、時計バンドなどの鎖類のほか、指輪などにも適用でき、身体に着ける装身具類のすべての製造に適用できる。
【００２７】
【考案の効果】
請求項１のように、Ａｕを７５重量％以上、Ｇｅを１．０〜２．５重量％含有し、残りが少なくともＰｄとＣｕから成る材料で鎖状に成形してなるネックレス又はブレスレットは、ＡｕとＰｄを含有しているため、白金色を呈したネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。美しい白金色が得られるので、従来のようなメッキ処理をする必要もない。
【００２８】請求項２のように、Ａｕを７５重量％以上、Ｇｅを１．０〜２．５重量％含有し、残りが少なくともＡｇとＣｕから成る材料で鎖状に成形してなるネックレス又はブレスレットは、Ａｕの含有量が多いため、１８金のような金色を呈したネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。
【００２９】請求項３のように、Ｐｔを８５重量％以上、Ｇｅを１．０〜２．５重量％含有し、残りが少なくともＰｄから成る材料で鎖状に成形してなるネックレス又はブレスレットは、Ｐｔの含有量が多いため、白色がかったネックレス又はブレスレットとなるが、Ｇｅを１．０〜２．５重量％含有しているため、Ｇｅ特有の遠赤外線放射などにより人体の健康維持ないし健康増進の効果が得られる。しかも、Ｇｅの含有量が１．０〜２．５重量％であるため、機械的な加工性が極めて優れ、鎖を自動機で編むことも可能である。
【図面の簡単な説明】
【図１】本考案によるＧｅ入りの装身用鎖の要部を示す斜視図である。
【符号の説明】
１　鎖本体
２　連結コマ
３　小リング
４　主リング
４ｅ　連結耳
５・６　小リング
７　タグ片
７ａ　基端孔
７ｂ　先端孔